(57)【要約】【課題】足指や手指を個別に覆う指被覆部を備えるソックスや手袋の着脱が容易で、また、指被覆部の型崩れを防止することができるハンガーを提供する。【解決手段】足指を個別に覆う足指被覆部を備えたソックスを支持する支持部２０を有してなり、支持部２０は、各足指被覆部にそれぞれ対応する５本の棒状のフレーム30−1,30−２，３０−３，３０−４，３０−５を、各フレームの先端の中心を結ぶ線が略直線となるように配置して構成され、５本のフレームのうち両端に配置されている２本のフレーム３０−１，３０−５の少なくともいずれか一方は、両者が互いに近づくように支持部２０に可動に設けられている。【選択図】図１
2009000371.tif 000002
【特許請求の範囲】
【請求項１】
足指を個別に覆う足指被覆部を備えたソックスを支持する支持部を有してなり、
上記支持部は、上記各足指被覆部にそれぞれ対応する５本の棒状のフレームを、各フレームの先端の中心を結ぶ線が略直線となるように配置して構成され、
上記５本のフレームのうち両端に配置されている２本のフレームの少なくともいずれか一方は、両者が互いに近づくように上記支持部に可動に設けられていることを特徴とするハンガー。
【請求項２】
支持部を起立支持する基台を備え、
５本のフレームは、上記基台から各フレームの先端までの高さが略同一となるように支持部に配置されている請求項１記載のハンガー。
【請求項３】
支持部を起立支持する基台を備え、
５本のフレームは、「上記基台から両端に配置されている２本のフレームの先端までの高さ」が「上記基台から残り３本のフレームの先端までの高さ」より高くなるように、支持部に配置されている請求項１記載のハンガー。
【請求項４】
支持部を垂下状態に吊り下げ支持する吊り下げ枠体と、
一端が上記吊り下げ枠体に固定され、他端が上記支持部に固定された紐状体と、
垂下状態にある支持部の上方に位置するように上記吊り下げ枠体に固定された、ソックスの履き口を狭持するための狭持部材と、
を備えた請求項１記載のハンガー。
【請求項５】
５本のフレームは、隣接するフレーム同士の間隔がフレームの先端方向に向かって拡がる略扇状に支持部に配置されている請求項１乃至４のいずれかに記載のハンガー。
【請求項６】
５本のフレームのうち両端に配置されている２本のフレームは、一体的に繋がり、
上記２本のフレームは、互いに近づく方向に加圧されると反力を生ずる請求項１乃至５のいずれかに記載のハンガー。
【請求項７】
５本のフレームのうち両端に配置されている２本のフレームの少なくともいずれか一方のフレームと、このフレームに隣接するフレームとの間には、両者が互いに近づく方向に加圧されると反力を生ずる部材が設けられている請求項１乃至５のいずれかに記載のハンガー。
【請求項８】
５本のフレームのうち両端に配置されている２本のフレームの先端は、ドーム状に形成されている請求項１乃至７のいずれかに記載のハンガー。
【請求項９】
５本のフレームのうち両端に配置されている２本のフレームの先端には、球体が設けられている請求項１乃至７のいずれかに記載のハンガー。
【請求項１０】
５本のフレームの各先端には、フレームの長さ方向に沿った溝が形成されている請求項１乃至９のいずれかに記載のハンガー。
【請求項１１】
手指を個別に覆う手指被覆部を備えた手袋を支持する支持部を有してなり、
上記支持部は、上記各手指被覆部にそれぞれ対応する５本の棒状のフレームを、各フレームの先端の中心を結ぶ線が略直線となるように配置して構成され、
上記５本のフレームのうち両端に配置されている２本のフレームの少なくともいずれか一方は、両者が互いに近づくように上記支持部に可動に設けられていることを特徴とするハンガー。
【発明の詳細な説明】
【技術分野】
【０００１】
本発明は、足指や手指を個別に覆う指被覆部を備えるソックスや手袋を支持するハンガーであって、特に、ソックスなどの着脱が容易で、また、指被覆部の型崩れを防止することができるものである。
【背景技術】
【０００２】
これまでにも、ソックスの型崩れを防止し、体裁よく干すことが出来るように工夫したソックスハンガーについて、種々提案されている（例えば、特許文献１参照）。
ところが、従来のソックスハンガーは、足指を全体的に覆う被覆部を備えるソックス用で、ソックス全体の型崩れの防止を考慮したものであって、各足指を個別に覆う足指被覆部を備える、いわゆる５本指ソックスの足指被覆部の型崩れ防止は考慮されていない。したがって、従来のソックスハンガーに５本指ソックスを支持すると、図２１に示すように、５本指ソックスＳの足指被覆部Ｆが、皺になったり、捩れたり、潰れたりした型崩れの状態のままで干されてしまう。このような型崩れの状態で干されて乾いた５本指ソックスを履く場合、図２２に示すように、５本指ソックスＳ内に足先Ｌを入れながら、図中矢印方向に拡がるように足指被覆部の型崩れ状態を矯正しなければならず、非常に履きづらい。
【０００３】
また、５本指ソックス等は、指間に綿埃などが溜まりやすく不衛生である。したがって、洗濯したときには、裏返しにして５本指ソックス等の内側を表にし、かつ、指間を広げて干すことで、綿埃などを取り除き、指間を日光消毒することが望ましい。しかし、従来のソックスハンガーでは、指間を広げて干すことができず、不衛生である。
【０００４】
一方、手指を個別に覆う手指被覆部を備える手袋を効率良く干すことができるように工夫した手袋用ハンガーに関しても種々提案されている（例えば、特許文献２乃至４参照）。
【０００５】
しかしながら、上記特許文献２乃至４に記載された手袋用ハンガーは、手指を個別に覆う手指被覆部にそれぞれ対応するフレーム同士の間隔が、先端方向に向かって拡がる略扇状に配置されている。したがって、この構造を５本指ソックス用のハンガーに適用すると、略扇状に拡がったフレーム先端の全体巾が、５本指ソックスの履き口の巾よりも広くなる。そのため、ソックス内へのフレームの挿入が困難となり、５本指ソックスをハンガーに容易に装着することができない。
【０００６】
一方、ハンガーに５本指ソックスを装着しやすいものとするため、各フレームを、弾力性を有するものとした場合、フレーム自体が５本指ソックスの重さや、外部からの応力によって変形してしまう。そのため、型崩れすることなく確実に５本指ソックスを支持することができない。
【特許文献１】特開平７−３０８４９２号公報
【特許文献２】実用新案登録第３００９６５２号公報
【特許文献３】特開２００２−３６０９９３号公報
【特許文献４】実用新案登録第３１０５９５０号公報
【発明の開示】
【発明が解決しようとする課題】
【０００７】
本発明は、上記従来技術の問題点に鑑みてなされたものであり、足指や手指を個別に覆う指被覆部を備えるソックスや手袋の着脱が容易で、また、指被覆部の型崩れを防止することができるハンガーを提供することを目的とする。
【課題を解決するための手段】
【０００８】
本発明にかかるハンガーは、足指を個別に覆う足指被覆部を備えたソックスを支持する支持部を有してなり、支持部は、各足指被覆部にそれぞれ対応する５本の棒状のフレームを、各フレームの先端の中心を結ぶ線が略直線となるように配置して構成され、５本のフレームのうち両端に配置されている２本のフレームの少なくともいずれか一方は、両者が互いに近づくように支持部に可動に設けられていることを特徴とする。
【０００９】
本発明にかかるハンガーは、支持部を起立支持する基台を備え、５本のフレームは、基台から各フレームの先端までの高さが略同一となるように支持部に配置されていることを特徴とする。
【００１０】
また、本発明にかかるハンガーは、支持部を起立支持する基台を備え、５本のフレームは、「基台から両端に配置されている２本のフレームの先端までの高さ」が「基台から残り３本のフレームの先端までの高さ」より高くなるように、支持部に配置されていることを特徴とする。
【００１１】
また、本発明にかかるハンガーは、支持部を垂下状態に吊り下げ支持する吊り下げ枠体と、一端が吊り下げ枠体に固定され、他端が支持部に固定された紐状体と、垂下状態にある支持部の上方に位置するように吊り下げ枠体に固定された、ソックスの履き口を狭持するための狭持部材と、を備えたことを特徴とする。
【００１２】
また、本発明にかかるハンガーは、５本のフレームは、隣接するフレーム同士の間隔がフレームの先端方向に向かって拡がる略扇状に支持部に配置されていることを特徴とする。
【００１３】
また、本発明にかかるハンガーは、５本のフレームのうち両端に配置されている２本のフレームは、一体的に繋がり、２本のフレームは、互いに近づく方向に加圧されると反力を生ずることを特徴とする。
【００１４】
また、本発明にかかるハンガーは、５本のフレームのうち両端に配置されている２本のフレームの少なくともいずれか一方のフレームと、このフレームに隣接するフレームとの間には、両者が互いに近づく方向に加圧されると反力を生ずる部材が設けられていることを特徴とする。
【００１５】
また、本発明にかかるハンガーは、５本のフレームのうち両端に配置されている２本のフレームの先端は、ドーム状に形成されていることを特徴とする。
【００１６】
また、本発明にかかるハンガーは、５本のフレームのうち両端に配置されている２本のフレームの先端には、球体が設けられていることを特徴とする。
【００１７】
また、本発明にかかるハンガーは、５本のフレームの各先端には、フレームの長さ方向に沿った溝が形成されていることを特徴とする。
【００１８】
また、本発明にかかるハンガーは、手指を個別に覆う手指被覆部を備えた手袋を支持する支持部を有してなり、支持部は、各手指被覆部にそれぞれ対応する５本の棒状のフレームを、各フレームの先端の中心を結ぶ線が略直線となるように配置して構成され、５本のフレームのうち両端に配置されている２本のフレームの少なくともいずれか一方は、両者が互いに近づくように支持部に可動に設けられていることを特徴とする。
【発明の効果】
【００１９】
本発明によれば、足指や手指を個別に覆う指被覆部を備えるソックスや手袋の着脱が容易で、また、指被覆部の型崩れを防止することができる。
【発明を実施するための最良の形態】
【００２０】
以下、図面を参照しながら、本発明にかかるハンガーの実施の形態について説明する。
なお、以下に説明する実施の形態は、足指を個別に覆う足指被覆部を備える５本指ソックス（以下、単に「ソックス」という。）を支持するハンガーを例に説明する。
【００２１】
図１は、本発明にかかるハンガーの実施の形態を示す斜視図である。
ハンガー１０Ａは、ソックスを支持する支持部２０と、支持部２０を起立支持する基台４０とを有してなる。
支持部２０は、ソックスの各足指被覆部にそれぞれ対応する合計５本の棒状のフレーム３０が配置されて構成されている。
【００２２】
フレーム３０は、ソックスの内部に挿入され、その先端３０ａが、それぞれ対応する足指被覆部の内側に当接することで５本指ソックスを支持する。
ここで、足指被覆部の内側とは、フレームの先端に接する面をいう。したがって、ソックスの表面を外側、同裏面を内側とした場合は裏面が、一方、ソックスの裏面を外側、同表面を内側とした場合は表面が、それぞれフレームの先端に接する面となる。
フレーム３０は、ソックスの親指被覆部に対応する第１フレーム３０−１と、同人指し指被覆部に対応する第２フレーム３０−２と、同中指被覆部に対応する第３フレーム３０−３と、同薬指被覆部に対応する第４フレーム３０−４と、同小指被覆部に対応する第５フレーム３０−５と、から構成されている。
【００２３】
なお、ソックスの各足指被覆部とフレームとの対応関係は、限定されない。すなわち、以下の説明においては、説明の便宜上、第１フレームは親指被覆部に、第２フレームは人差し指被覆部に、第３フレームは中指被覆部に、第４フレームは薬指被覆部に、第５フレームは小指被覆部に、それぞれ対応させて使用する前提で説明するが、第５フレームを親指被覆部に、第４レームを人差し指被覆部に、第２フレームを薬指被覆部に、第１フレームを小指被覆部にそれぞれ対応させて使用してもよい。
【００２４】
ソックスの親指被覆部に対応する第１フレーム３０（３０−１）とソックスの小指被覆部に対応する第５フレーム３０（３０−５）の少なくともいずれか一方は、両者が互いに近づくように支持部２０に可動に設けられている。
ここで、両者が互いに近づくとは、図中点線で示すように、第１フレーム３０−１が隣接する第２フレーム３０−２に近づく、あるいは、第５フレーム３０−５が隣接する第４フレーム３０−４に近づくことをいう。
なお、本実施の形態では、フレーム３０は、第１フレーム３０−１と第５フレーム３０−５の双方が、図中矢印で示すように、互いに近づくように支持部２０に可動に設けられている。
【００２５】
このように、第１フレーム３０−１と第５フレーム３０−５が互いに近づくように支持部２０に可動に設けられているので、たとえば、ハンガー１０Ａの使用者が片手若しくは両手で支持部２０を掴んで握ることで、５本のフレーム３０の両端の先端３０ａの距離（巾）を狭めることができる。すなわち、図１において、点線で示す可動後のフレーム先端の全体巾は、実線で示す可動前の第１フレーム３０−１から第５フレーム３０−５までの巾と比べて、第１フレーム３０−１が第２フレーム３０−２に近づいた分の距離、及び、第５フレーム３０−５が第４フレーム３０−４に近づいた分の距離だけ、各々狭められる。
【００２６】
一方、第２フレーム３０−２、第３フレーム３０−３、及び第４フレーム３０−４は、支持部２０に可動に設けられていない（基台４０に対して位置決め固定されている）。そのため、５本のフレームでソックスを支持したときに、フレーム自体が５本指ソックスの重さや、外部からの応力によって変形してしまうおそれが少なく、型崩れすることなく確実にソックスを支持することができる。
【００２７】
フレーム３０は、隣接するフレーム同士の間隔が先端３０ａに向かって拡がる略扇状に配置されている。
ここで、先端３０ａに向かって略扇状に配置されているとは、隣接するフレーム同士の間隔（距離）が、フレームの基端３０ｂ側から先端３０ａ側に向かって広がるように配置されていることをいう。なお、フレームの基端３０ｂとは、棒状のフレームの端部のうち、先端３０ａの他端側で基台４０側をいう。
フレーム３０が略扇状に配置されていることで、第１フレーム３０−１と第５フレーム３０−５の各先端３０ａを互いに近づけることで、支持部２０の全体的な巾をより狭めることができ、ソックス内へのフレーム３０の挿入を一層容易にすることができる。
【００２８】
フレーム３０の巾、つまり、第１フレーム３０−１から第５フレーム３０−５までの距離が広いほど、皺無くピンと張った状態でソックスをフレーム３０に支持することができる。そのため、ハンガー１０Ａに干されたソックスは乾きやすくなる。
また、フレーム３０の巾が広いほど、ソックスをフレーム３０に被せるときに、ソックスの各足指被覆部を５本の各フレームの先端に合わせやすくなる。
したがって、フレーム３０の巾は、ソックスの巾に応じて定めるとよい。
【００２９】
第１フレーム３０−１と第５フレーム３０−５の可動は、たとえば、第１フレーム３０−１と第５フレーム３０−５とが一体的に繋がり、互いに近づく方向に加圧されると反力を生ずるフレーム３０の構成により達成することができる。
図２（ａ）はフレーム３０の正面図であり、第１フレーム３０−１と第５フレーム３０−５が、連結部３１を介して一体的に繋がった構成となっていることを示している。この第１フレーム３０−１と第５フレーム３０−５は、フレーム自体が弾性力を有する素材で構成されている。弾性力を有する素材の例としては、たとえば、ステンレス等の金属や、合成樹脂がある。金属の場合は、棒状の部材を折り曲げることにより、また、合成樹脂の場合は、一体成型により第１フレームと第５フレームを形成することができる。
【００３０】
第１フレーム３０−１と第５フレーム３０−５が一体的に繋がった構成により、第１フレーム３０−１と第５フレーム３０−５の側胴部に応力を加えて各先端３０ａを互いに近づけるようにすると、各フレームの基端３０ｂ付近を軸として、この部分が捩れ、第１フレーム３０−１と第５フレーム３０−５を可動させることができる。しかも、第１フレーム３０−１と第５フレーム３０−５は、互いに近づく方向に加圧する応力を解除すると、加圧することで生じた捩れがフレーム自身の弾性力によって元の状態に戻ろうとする力（反力）が働き、第１フレーム３０−１と第５フレーム３０−５は可動前の状態に戻る。
【００３１】
フレーム３０は、各フレームの先端３０ａの中心を結ぶ線が略直線となるように支持部２０に配置されていると望ましい。図２（ｂ）はフレーム３０の平面図であり、５本のフレーム３０の各先端３０ａが、その中心Ｏが直線Ｌ１上に位置するように支持部に配置されることを示している。
これにより、ソックスのフレーム３０に対する被せ作業、特に、足指被覆部内へのフレーム３０の先端３０ａの挿入が容易になる。また、ソックスの足指被覆部が、皺になったり、捩れたり、潰れたりした型崩れすること無く、ピンと張った状態で支持することができる。
【００３２】
また、連結部３１は、平面方向から見て、第１フレーム３０−１及び第５フレーム３０−５より幅広もしくは周囲に迫り出す構成すると望ましい。
ここで、幅広もしくは周囲に迫り出すとは、連結部３１又はその一部が、第１フレーム３０−１の基端３０ｂと第５フレーム３０−５の基端３０ｂを結ぶ線より外方へはみ出していることをいう。図２（ｂ）は、連結部３１が、前方（図中手前側）に迫り出していることを示している。
第１フレーム３０−１と第５フレーム３０−５が、連結部３１を介して一体的に繋がった構成の場合、たとえば、連結部３１の迫り出した部分をストッパーとして作用させて、第１フレーム３０−１と第５フレーム３０−５が連結部３１を軸として回転（横転）するのを防止することができる。
【００３３】
基台４０は、前述のとおり、支持部２０を起立支持する部材である。
ここで、起立支持とは、フレーム３０の先端３０ａが基台４０の上面より低位にならないように、支持部２０を支持することをいう。
基台４０の形状、大きさ、あるいは素材は、支持部２０にソックスを支持したときに、支持部２０が転倒することなく支持することができるものであればよい。
支持部２０は、基台４０の上面に対して鉛直方向に起立するように基台に設けてもよいし、基台４０の上面に対して傾斜する方向に起立するように基台に設けてもよい。図１に示した例は、支持部２０には５本のフレーム３０・・・３０が配置され、各フレームの基端３０ｂが基台４０に対して鉛直方向に、直接取り付けられていることを示している。
なお、基台４０への支持部２０の取り付け方法としては、たとえば、各フレームの基端３０ｂを挿入するための係止孔（穴）を基台４０の略中央に設けて、連結部材、係合部材、嵌合部材などを用いて取り付けるようにしてもよいし、あるいは、基台４０の上面の略中央に、各フレームの基端３０ｂを固着・溶接するなどしてもよい。
【００３４】
なお、支持部２０は、配置された５本のフレーム３０の各基端３０ｂが基台４０に対して直接取り付けられたものに限定されない。すなわち、たとえば、図３に示すように、支持部２０は、５本のフレーム３０の各基端３０ｂをまとめる支持基部２１を介して基台４０に取り付けられていてもよい。この支持基部２１は、５本のフレーム３０の各基端３０ｂと一体形成されたものでもよいし、別体でもよい。図３に示すフレーム３０は、支持基部２１の一端が５本のフレーム（第１フレーム３０−１、第２フレーム３０−２、第３フレーム３０−３、第４フレーム３０−４、第５フレーム３０−５）に分岐して構成されていることを示している。
【００３５】
フレーム３０は、各先端３０ａの基台４０の上面からの高さが略同一となるように支持部２０に配置されている。図４は、５本のフレーム３０が、各先端３０ａの基台４０からの高さが何れも高さＴとなるように配置されていることを示している。
各先端３０ａの基台４０からの高さを略同一に構成することで、ソックスのフレーム３０に対する被せ状態が安定したものとなり、ソックスが斜めになって皺になったり、捩れたりせず、整った状態で支持することができる。
なお、フレームは、５本のフレームの先端までの基台４０の上面からの高さが略同一となる構成に代えて、５本のフレームの両端２本のフレーム（親指と小指に対応）の先端が、残りの３本のフレーム（人差指、中指、薬指に対応）の先端より、たとえば、２ｍｍ〜３ｍｍ程度、高くなるように構成してもよい。後述するように、ソックスをハンガーに被せる際、５本の指のうち、先ずは親指と小指の部分をフレームの先端に当接させて位置決めするとよいが、両端２本のフレームが残り３本のフレームより多少高く構成されていると、被せる際の位置決めが容易となる。
【００３６】
次に、ハンガー１０Ａの使用方法、つまり、たとえば、洗濯したソックスをハンガー１０Ａに支持し、干して乾かす作業について、図５及び図６を参照しながら説明する。
図５は、本発明に係るハンガーのフレームとソックスとの関係を示す図であり、図６は、本発明に係るハンガーに５本指ソックスを支持した状態を示す図である。
【００３７】
図５において、ソックスＳの履き口ｓ１側の巾Ｄ１は、足指被覆部Ｆ側の巾Ｄ２より狭いものとなっている（Ｄ２＞Ｄ１）。また、ソックスＳを支持するフレーム３０の先端３０ａ側の全体巾Ｄ３は、ソックスＳをピンと張った状態で支持することから、巾Ｄ２より広いものとなっている（Ｄ３＞Ｄ２）。したがってこのままでは、巾Ｄ３の方が巾Ｄ１より広いので、ソックスＳ内へのフレーム３０を挿入することができない。ここで、履き口ｓ１を、巾Ｄ３以上に拡張することでソックスＳ内へフレーム３０を挿入することが可能となるが、巾Ｄ３以上に拡張することができない場合や、巾Ｄ３以上に拡張する作業が非常に困難な場合がある。
【００３８】
そこで、ソックスＳの履き口ｓ１は、拡張することが容易な巾Ｄ４まで拡げる（Ｄ４＞Ｄ１）。一方、ハンガー１０Ａは、第１フレーム３０−１と第５フレーム３０−５の側胴部を押圧して両者が互いに近づくように可動させることで、フレーム３０の先端３０ａ側を巾Ｄ４より狭い巾Ｄ５まで狭める（Ｄ４＞Ｄ５）。この時、各巾の大小関係は、たとえば、Ｄ３≧Ｄ２≧Ｄ４≧Ｄ５≧Ｄ１となっている。
【００３９】
ここで、ハンガー１０Ａの使用者がソックスＳをハンガー１０Ａに被せる方法について、図１７を参照しながら説明する。
【００４０】
先ず、（ａ）に示すように、使用者は、両手の親指をソックスＳの内部（ソックスＳの裏面）に挿入してソックスＳを手繰り寄せながら、ソックスＳの親指被覆部Ｆ１と小指被覆部Ｆ５の元をつまむ。
【００４１】
次に、（ｂ）に示すように、使用者は、親指被覆部Ｆ１と小指被覆部Ｆ５の元をつまんだまま、ソックスＳを裏返す。このとき、使用者の両手の親指以外の指は、裏返されたソックスＳの内部（ソックスＳの表面）に挿入された状態となる。
【００４２】
次に、（ｃ）に示すように、使用者は、両手を左右に引っ張りながら、裏返されたソックスＳをハンガー１０Ａのフレーム３０の先端に被せる。その際、たとえば、先ずは親指被覆部Ｆ１をフレーム３０−１の先端に当接させて位置決めした上で、小指被覆部Ｆ５をフレーム３０−５の先端に当接するように、ソックスＳを図中右方向に引っ張る。このとき、フレーム３０−１と３０−５は互いに近づく方向に可動するため、小指被覆部Ｆ５をフレーム３０−５の先端に当接させやすい。
【００４３】
親指被覆部Ｆ１と小指被覆部Ｆ５のそれぞれをフレーム３０の先端に合わせた状態で、使用者がソックスＳを引っ張る力を弱めると、前述のとおり可動されていたフレーム３０−１と３０−５の互いに離れる方向への反力により、ソックスＳは図中左右方向に引っ張られる。その結果、人差指被覆部Ｆ２、中指被覆部Ｆ３、薬指被覆部Ｆ４も、それぞれフレーム３０−２，３０−３，３０−４の先端付近に位置した状態になる。この状態で、使用者がソックスＳの履き口を基台方向、つまり、図中下方向に引っ張ると、各足指被覆部Ｆ１〜Ｆ５は、フレーム３０−１〜３０−５の先端からの押圧により裏返されて、つまり、各足指被覆部の裏面が外側になって、図６に示すように、ソックスＳはハンガー１０Ａに支持される。
【００４４】
前述のとおり５本のフレームが略扇状に配置されているので、フレーム３０に被されたソックスＳは、左右に引っ張られた状態、つまり、各指被覆部間が広がった状態でハンガー１０Ａに支持される。また、裏返された各足指被覆部は、先端まで各フレームに支持されているので、皺になったり、捩れたり、潰れたりせずにハンガー１０Ａに支持される。
【００４５】
乾いたソックスＳをハンガー１０Ａから取り外すとき、使用者は、ソックスＳの履き口に両手の親指を掛けてソックスＳをめくるように上方に引っ張ることで、簡単に取り外すことができ、しかも、干すときに裏になっていたソックスＳの表面が表（外側）になってハンガー１０Ａから取り外すことができる。したがって、乾いたソックスＳは、ハンガー１０Ａから取り外した状態のまま、つまり、ハンガー１０Ａから取り外した後に裏返さなくても、履くことができ、しかも、各足指被覆部は皺などになっていないので、履きやすい。
【００４６】
以上説明した実施の形態によれば、５本のフレームのうち両端に配置された２本のフレーム３０−１と３０−５が互いに近づくように支持部２０に可動に設けられているので、ソックスＳの巾（Ｄ２）よりも広い巾（Ｄ３）に構成されたフレームにも、ソックスＳを容易に被せることができ、また、フレームに被せられたソックスＳの各足指被覆部間を広げた状態で支持することができる。
【００４７】
なお、各フレームの先端は、ドーム状に形成してもよい。ここで、ドーム状とは、先端が丸みをもって膨らんだ形状をいう。
ドーム状の例として、図８（ａ）には、フレーム３０の先端３０ａに半球型キャップ３２を被覆したものを示し、（ｂ）には、フレーム３０の先端３０ａに球型キャップ３３を被覆したものを示している。なお、図示しないが、フレーム３０自体の先端３０ａ部分をドーム状に加工（形成）してもよい。
【００４８】
各フレームの先端をドーム状とすることで、ソックスＳがフレーム３０の先端３０ａに引っ掛かることなく、ソックスＳ内へのフレーム３０の挿入を一層し易いものとすることができる。また、足指被覆部Ｆは、ドーム状に形成された先端３０ａによって拡げられ、足指被覆部Ｆは乾きやすく、足指被覆部Ｆ内に足指を入れ易い膨らんだ状態とすることができる。
【００４９】
また、各フレームの先端にキャップ３２，３３を設けることで、ソックスＳをフレーム３０に被せる際に、使用者は、洗濯後の皺状のソックスＳの親指被覆部Ｆ１や小指被覆部Ｆ５を、キャップ３２，３３を頼りに、簡単にフレーム３０−１，３０−５の先端に位置決めすることができる。
なお、キャップ３２，３３の大きさは、たとえば、パチンコ玉大とする。
【００５０】
また、各フレームの先端には、フレームの長さ方向に沿った溝を形成してもよい。ここで、溝とは、足指被覆部の内側に内接する面積を少なくする、リブ状の先端を構成する凹部をいう。
図９には、フレーム３０の先端３０ａに球型キャップ３４を被覆し、その周面に、フレーム３０の長さ方向に沿った溝３５を多数形成することで、複数のリブ３６・・３６を形成した例を示している。
【００５１】
この溝により、足指被覆部Ｆは、丸みを帯びた複数のリブ３６・・３６に当接して支持されるものとなるので、ソックスＳがフレーム３０の先端３０ａに引っ掛かることなく、かつ、足指被覆部Ｆの内側と先端３０ａの表面との摩擦抵抗を軽減し、足指被覆部Ｆ内へのフレーム３０の先端３０ａの挿入を一層し易いものとすることができる。また、リブ３６間に設けられた溝３５内を空気が流通し、足指被覆部Ｆを一層乾き易いものとすることができる。
【００５２】
また、各フレームの先端は、足指被覆部の内側に内接する大きさに形成してもよい。ここで、足指被覆部の内側に内接する大きさとは、足指被覆部の内側がフレームの先端を適度に締め付けるような強さをもって被覆することとなる大きさをいう。
【００５３】
なお、各フレームの先端の大きさは、各フレームで同一であってもよいし、あるいは、フレームごとに異なる大きさであってもよい。
図１０に示す本発明の第２のハンガー１０Ｂは、各フレーム３０の先端３０ａに球型キャップが被覆されており、各球型キャップの大きさ（直径）は、各フレームに対応する足指被覆部の大きさに応じて異なる。すなわち、第１フレーム３０−１の球型キャップの径ｄ１は、親指被覆部Ｆ１の内径ｄ６より大きく（ｄ１＞ｄ６）、第２フレーム３０−２の球型キャップの径ｄ２は、人差し指被覆部Ｆ２の内径ｄ７より大きく（ｄ２＞ｄ７）、第３フレーム３０−３の球型キャップの径ｄ３は、中指被覆部Ｆ３の内径ｄ８より大きく（ｄ３＞ｄ８）、第４フレーム３０−４の球型キャップの径ｄ４は、薬指被覆部Ｆ４の内径ｄ９より大きく（ｄ４＞ｄ９）、第５フレーム３０−５の球型キャップの径ｄ５は、小指被覆部Ｆ５の内径ｄ１０より大きく（ｄ５＞ｄ１０）形成されている。
【００５４】
したがって、第１フレーム３０−１の球型キャップは親指被覆部Ｆ１の内側に内接し、第２フレーム３０−２の球型キャップは人差し指被覆部Ｆ２の内側に内接し、第３フレーム３０−３の球型キャップは中指被覆部Ｆ３の内側に内接し、第４フレーム３０−４の球型キャップは薬指被覆部Ｆ４の内側に内接し、第５フレーム３０−５の球型キャップは小指被覆部Ｆ５に内接した状態で、ソックスＳがハンガー１０Ｂに支持されるものとなる。
【００５５】
なお、以上説明した実施の形態では、第１フレームと第５フレームの可動を、第１フレームと第５フレームとが一体的に繋がった構造により達成するものとしたが、本発明はこの構造に限定されず、たとえば、隣接するフレーム間の距離を拡げる部材を備える構造としてもよい。
【００５６】
図１１に示す本発明の第３のハンガー１０Ｃは、第１フレーム３０−１とこれに隣接する第２フレーム３０−２との間、及び第５フレーム３０−５とこれに隣接する第４フレーム３０−４との間に、両者が互いに近づく方向に加圧されると反力を生ずる部材６０をそれぞれ備えるものとなっている。この部材６０の例としては、隣接するフレーム間の距離を拡げる方向に付勢するコイルスプリングがある。
【００５７】
この部材６０により、第１フレーム３０−１と第５フレーム３０−５の各先端３０ａを互いに近づけるように可動させることで、各フレームの基端３０ｂ付近を支点として第１フレーム３０−１と第５フレーム３０−５が撓むことになり、第１フレーム３０−１と第５フレーム３０−５を可動させることができる。しかも、第１フレーム３０−１と第５フレーム３０−５は、互いに近づく方向に加圧する力を解除すると、加圧することで生じた撓みがフレーム自身の弾性力によって元の状態に戻ろうとする応力が働き、第１フレーム３０−１と第５フレーム３０−５は可動前の状態に戻るものとなる。
なお、図１１には、部材６０を第１フレーム３０−１と第２フレーム３０−２との間、および、第４フレーム３０−４と第５フレーム３０−５との間の２箇所に備えた例を示したが、いずれか一方のみに部材を設けるようにしてもよい。すなわち、５本のフレームのうち両端に配置されている２本のフレームの少なくともいずれか一方のフレーム（第１フレーム３０−１または第５フレーム３０−５）と、このフレームに隣接するフレーム（第２フレーム３０−２または第４フレーム３０−４）との間に、両者が互いに近づく方向に加圧されると反力を生ずる部材を設けるとよい。
【００５８】
また、本発明にかかるハンガーは、第１フレームと第５フレームの可動範囲を規制する位置決め部材をさらに備えていてもよい。位置決め部材とは、第１フレームと第５フレームの両者が互いに離れてしまう方向へ可動することを抑止するものをいう。
【００５９】
図１２に示す本発明の第４のハンガー１０Ｄは、第１フレーム３０−１と第５フレーム３０−５をそれぞれ挿通し、第１フレーム３０−１及び第５フレーム３０−５の可動範囲をそれぞれ限定する可動制御孔５１を有する位置決め部材５０を備えている。この可動制御孔５１は、第１フレーム３０−１と第５フレーム３０−５の両者が互いに離れてしまう側が、それぞれ拡張制御縁５２ａとなり、隣接するフレーム側が、それぞれ近接抑止縁５２ｂとなっている。また、位置決め部材５０には、第２フレーム３０−２、第３フレーム３０−３、及び第４フレーム３０−４がそれぞれ挿通され、位置決め固定されている。
【００６０】
この位置決め部材５０により、第１フレーム３０−１と第５フレーム３０−５は、通常、拡張制御縁５２ａに接することによって両者が互いに離れてしまう方向へ必要以上に可動することが抑止される。一方、第１フレーム３０−１と第５フレーム３０−５は、フレームへのソックスの支持の際、両者が互いに近づく方向へ可動すると、近接抑止縁５２ｂに接することによって必要以上に可動することが抑止され、可動範囲が制限される。
また、この位置決め部材５０は、ソックスの足指被覆部が型崩れすること無く、ピンと張った状態で支持するために、フレームを直線的に配置する位置決め効果も有する。
【００６１】
位置決め部材５０は、各フレームをそれぞれ挿通し、上下に可動可能に構成してもよい。ここで、上下とは、フレームの長さ方向をいう。
図１３に示す位置決め部材５０は、ストッパー５３及び固定ネジ５４によって支持部２０に支持され、高さの調節が可能なものとなっている。
このように位置決め部材５０を高さ調節可能なものとすることにより、第１フレーム３０−１と第５フレーム３０−５の両者が互いに離れてしまう距離の調節が可能となる。したがって、巾の異なるソックスに対応可能で、巾が広いソックスの場合は、位置決め部材５０を下方に移動させ、巾が狭いソックスの場合は、位置決め部材５０を上方に移動させることで、ソックスのサイズに関わらず任意の巾に合わせてソックスを支持することができる。
【００６２】
また、位置決め部材は、上述のように第１フレーム３０−１と第５フレーム３０−５がそれぞれ位置決め部材に挿通された構造に限定されない。したがって、たとえば第１フレーム３０−１と第５フレーム３０−５が位置決め部材に係止されることで、第１フレームと第５フレームの可動範囲を規制する構造としてもよい。
【００６３】
図１４に示す位置決め部材５５は、第１フレーム３０−１又は第５フレーム３０−５をそれぞれ係止する可動制御片５６を備える。この可動制御片５６は、第１フレーム３０−１と第５フレーム３０−５との距離を狭く支持する第１可動制御片５６ａと、第１フレーム３０−１と第５フレーム３０−５との距離を広く支持する第２可動制御片５６ｂとから構成されている。また、第２フレーム３０−２、第３フレーム３０−３、及び第４フレーム３０−４をそれぞれ挿通し、固定する。
【００６４】
この位置決め部材５５により、第１フレーム３０−１と第５フレーム３０−５は、第１可動制御片５６ａもしくは第２可動制御片５６ｂに接することによって両者が互いに離れてしまう方向へ必要以上に可動することが抑止される。
なお、この位置決め部材５５は、上述のように、上下に可動可能な構成としてもよい。
【００６５】
また、以上説明した実施の形態では、何れも支持部が一つだけ設けられた構成となっているが、本発明はこれに限定されず、二つ以上の支持部が設けられた構成としてもよい。
図１５に示す本発明の第５のハンガー１０Ｅは、基台４０に対して、第１の支持部２０Ａと第２の支持部２０Ｂからなる二つの支持部を起立支持する構成となっている。
この構成により、たとえば、一組のソックスを一緒のハンガーに支持することができる。
【００６６】
さらに、以上説明した実施の形態では、基台を床やテーブル等の上に載置することを前提としたものであったが、本発明はこれに限定されず、たとえば、基台を吊り下げ可能に構成してもよい。
【００６７】
図１６に示す本発明の第６のハンガー１０Ｆには、基台４０に対して二つの支持部２０Ａ，２０Ｂが起立支持されると共に、係止部材としてのフック７０が設けられている。
【００６８】
この構成により、フック７０を物干し竿や物干しロープなどに引っ掛けることで、ハンガーが床面等に載置されることなく、邪魔にならない。
【００６９】
次に、本発明にかかるハンガーの別の実施の形態について、先に説明した実施の形態と異なる部分を中心に説明する。
これまで説明した実施の形態では、ソックスを支持する支持部は基台に起立支持されていた。これに対して、本実施の形態では、支持部は垂下支持される。
【００７０】
図１８は、本発明にかかるハンガーの別の実施の形態を示す斜視図である。ハンガーは、ソックスを支持する支持部２１０と、支持部２１０を垂下状態に吊り下げ支持する吊り下げ枠体４００と、支持部２１０を吊り下げ枠体４００に固定する紐状体６１０と、支持部２１０に支持されているソックスの履き口を狭持する狭持部材８１０と、吊り下げ枠体４００を物干し竿などに引っ掛けるためのフック７００と、を有してなる。なお、図１８には、１つの吊り下げ枠体４００に、４組の狭持部材と紐状体（支持部）が設けられていることを示している。
【００７１】
支持部２１０は、図１に示した支持部２０などと同様に、５本の棒状のフレームが、各フレームの先端の中心を結ぶ線が略直線となるように配置して構成されている。また、５本のフレームのうち両端に配置されている２本のフレームの少なくともいずれか一方は、両者が互いに近づくように支持部２１０に可動に設けられている。
なお、図１８は、各フレームの先端とは逆の他端で５本のフレームが結合した状態で支持部が構成されていることを示している。また、各支持部には、図１２に示した実施の形態のように、５本のフレームのうち両端のフレームの可動範囲を規制すると共に、５本のフレームの先端の中心を結ぶ線が略直線となるように、５本のフレームを位置決めする位置決め部材が設けられていることを示している。
【００７２】
紐状体は、紐や鎖など紐状の物であって、一端が吊り下げ枠体の裏面に固定され、他端が支持部に固定されている。
なお、支持部は、５本のフレームの先端とは逆の他端で紐状体に固定されていて、垂下状態にあるとき、各フレームの先端方向が下方向となる。紐状体と、支持部あるいは吊り下げ枠体との固定方法は、接着固定、結着固定、など、紐状体、支持部、吊り下げ枠体などの材質などに応じて適宜方法を用いる。
また、紐状体の長さは、後述するように、ハンガーに支持するソックスの長さに応じて適宜決定される。
【００７３】
狭持部材は、垂下状態にある支持部の上方に位置するように、吊り下げ枠体の裏面であって、紐状体の固定箇所の近傍に固定されている。すなわち、換言すれば、支持部が垂下状態にあるとき、吊り下げ枠体の裏面には、まず、狭持部材が位置し、その下方に支持部が位置する状態となる。支持部を吊り下げ枠体に固定する紐状体の長さは、少なくとも、狭持部材と支持部とのこの位置関係を満足する長さを有する。
狭持部材と紐状体（つまり、支持部）は、一組となって吊り下げ枠体に固定されている。図１８には、４組の狭持部材と紐状体の組が吊り下げ枠体に設けられていることを示している。
【００７４】
次に、本実施の形態のハンガーの使用方法について説明する。
先ず、使用者は、図１９に示すように、ハンガーの支持部２１０を片手で掴んで握り、支持部２１０の５本のフレームの両端の２本のフレームを互いに近づけて、支持部２１０の幅を狭くする。
使用者は、幅の狭くなった支持部２１０をソックスＳの履き口Ｓ１からソックス内部に挿入し、支持部２１０のフレームの先端がソックスの足指被覆部に位置するまで、ソックスＳを手繰る。ソックスＳを手繰るのは、支持部２１０を掴んだ手と反対の手（片手）で行うようにしてもよいし、支持部２１０から手を離した上で、両手で行うようにしてもよい。
【００７５】
その後、使用者は、ソックスＳがピンと伸びるように、履き口Ｓ１を吊り下げ枠体方向に引っ張った上で、履き口Ｓ１を狭持部材で狭持する。
図２０は、ハンガーに支持された状態のソックスＳの様子を示す模式図であり、ソックスＳは、足指被覆部内にフレームの先端が位置した状態で、かつ、履き口Ｓ１が狭持部材８００で狭持されて、ピンと張った状態でハンガーに支持されていることを示している。また、同図（ａ）（ｂ）に示すように、ソックスの長さに応じて紐状体８００が支持部に支持されているソックスの内部で弛むため、ソックスは、その長さに関わらず、ピンと張った状態でハンガーに支持される。
【００７６】
以上説明した実施の形態によれば、支持部が錘として機能するため、狭持部材で履き口を狭持し、かつ、支持部に支持したソックスを、ソックスの長さに関わらず、ピンと張った状態で支持することができる。
【００７７】
なお、これまで説明した実施の形態は、５本指ソックスを支持するハンガーを例に説明したが、本発明は５本指ソックスに限らず、手指を個別に覆う手指被覆部を備える手袋を支持する、下記の付記１乃至８の構成を供えたハンガーとしてもよい。
【００７８】
（付記１）
手指を個別に覆う手指被覆部を備えた手袋を支持する支持部を有してなり、
上記支持部は、上記各手指被覆部にそれぞれ対応する５本の棒状のフレームを、各フレームの先端の中心を結ぶ線が略直線となるように配置して構成され、
上記５本のフレームのうち両端に配置されている２本のフレームの少なくともいずれか一方は、両者が互いに近づくように上記支持部に可動に設けられていることを特徴とするハンガー。
（付記２）
支持部を垂下状態に吊り下げ支持する吊り下げ枠体と、
一端が上記吊り下げ枠体に固定され、他端が上記支持部に固定された紐状体と、
垂下状態にある支持部の上方に位置するように上記吊り下げ枠体に固定された、手袋の袖口を狭持するための狭持部材と、
を備えた付記１記載のハンガー。
（付記３）
５本のフレームは、隣接するフレーム同士の間隔がフレームの先端方向に向かって拡がる略扇状に支持部に配置されている付記１または２記載のハンガー。
（付記４）
５本のフレームのうち両端に配置されている２本のフレームは、一体的に繋がり、
上記２本のフレームは、互いに近づく方向に加圧されると反力を生ずる付記１乃至３のいずれかに記載のハンガー。
（付記５）
５本のフレームのうち両端に配置されている２本のフレームの少なくともいずれか一方のフレームと、このフレームに隣接するフレームとの間には、両者が互いに近づく方向に加圧されると反力を生ずる部材が設けられている付記１乃至４のいずれかに記載のハンガー。
（付記６）
５本のフレームのうち両端に配置されている２本のフレームの先端は、ドーム状に形成されている付記１乃至５のいずれかに記載のハンガー。
（付記７）
５本のフレームのうち両端に配置されている２本のフレームの先端には、球体が設けられている付記１乃至６のいずれかに記載のハンガー。
（付記８）
５本のフレームの各先端には、フレームの長さ方向に沿った溝が形成されている付記１乃至７のいずれかに記載のハンガー。
【図面の簡単な説明】
【００７９】
【図１】本発明にかかるハンガーの実施の形態を示す斜視図である。
【図２】上記ハンガーが備えるフレームの構成を示す、（ａ）は正面図、（ｂ）は平面図である。
【図３】上記ハンガーが備える支持部の他の構成を示す図である。
【図４】上記フレームの他の構成を示す図である。
【図５】上記フレームと５本指ソックスとの関係を示す図である。
【図６】上記ハンガーに５本指ソックスを支持した状態を示す図である。
【図７】上記ハンガーで支持された後の５本指ソックスを履く状態を示す図である。
【図８】上記フレームの先端の構成を示す部分拡大図である。
【図９】上記フレームの先端の別の構成を示す部分拡大図である。
【図１０】上記フレームの先端の大きさと５本指ソックスの足指被覆部の大きさとの関係を示す図である。
【図１１】上記フレームの別の構成を示す図である。
【図１２】上記ハンガーが備える位置決め部材の構成を示す、（ａ）は正面図、（ｂ）は（ａ）に示すＡ−Ａ線に沿った平面図である。
【図１３】上記位置決め部材の別の構成を示す正面図である。
【図１４】上記位置決め部材の別の構成を示す平面図である。
【図１５】本発明にかかるハンガーの別の構成を示す図である。
【図１６】本発明にかかるハンガーのさらに別の構成を示す図である。
【図１７】本発明にかかるハンガーの使用方法を示す模式図である。
【図１８】本発明にかかるハンガーのさらに別の構成を示す図である。
【図１９】上記ハンガーの使用方法を示す模式図である。
【図２０】上記ハンガーの使用状況を示す模式図である。
【図２１】従来のハンガーで支持した５本指ソックスを示す図である。
【図２２】従来のハンガーで支持した５本指ソックスを履く状態を示す図である。
【符号の説明】
【００８０】
１０  ハンガー
２０  支持部
３０  フレーム
【図１】
2009000371.tif 000003
【図２】
2009000371.tif 000004
【図３】
2009000371.tif 000005
【図４】
2009000371.tif 000006
【図５】
2009000371.tif 000007
【図６】
2009000371.tif 000008
【図７】
2009000371.tif 000009
【図８】
2009000371.tif 000010
【図９】
2009000371.tif 000011
【図１０】
2009000371.tif 000012
【図１１】
2009000371.tif 000013
【図１２】
2009000371.tif 000014
【図１３】
2009000371.tif 000015
【図１４】
2009000371.tif 000016
【図１５】
2009000371.tif 000017
【図１６】
2009000371.tif 000018
【図１７】
2009000371.tif 000019
【図１８】
2009000371.tif 000020
【図１９】
2009000371.tif 000021
【図２０】
2009000371.tif 000022
【図２１】
2009000371.tif 000023
【図２２】
2009000371.tif 000024